(57)【要約】【課題】  ＴＦＴ液晶、ＥＬなどを外部表示装置に用いた場合、消費電力が大きく、またファインダ観察時はその漏光が邪魔になるため、表示が不要もしくは邪魔なときには消灯する必要がある。【解決手段】  レリーズボタンの半押しの継続時間を測定する手段を備え、その継続時間によって表示手段の表示／非表示の状態制御を変更する。  表示装置が非表示の状態でレリーズボタンを半押しした際は、半押しの継続時間が所定時間より短い場合は表示手段を表示状態とし、所定時間以上の場合は前記表示手段を非表示のままとする。  また、表示装置が表示されている状態でレリーズボタンを半押しした際は、半押しの継続時間が所定時間より短い場合は表示手段を表示状態のままとし、所定時間以上の場合は表示手段を非表示とする。【選択図】  図７
2007202024.tif 000002
【特許請求の範囲】
【請求項１】
表示手段と、
第１ストロークでオンする第１のスイッチと、第２ストロークでオンする第２のスイッチからなる２段スイッチを有し、前記第１のスイッチのオンで撮影準備動作を行い、前記第２のスイッチのオンで撮影動作を行う撮像装置であって、
前記第１のスイッチのオンの継続時間を計時する計時手段と、
前記計時手段によって計時された前記第１のスイッチのオンの継続時間によって前記表示手段の表示／非表示の制御を変更する制御手段を備えることを特徴とする撮像装置。
【請求項２】
前記表示手段が非表示状態のとき、前記計時手段によって計時された前記第１のスイッチのオンの継続時間が所定時間より短い場合は前記表示手段を表示状態とし、前記計時手段によって計時された前記第１のスイッチのオンの継続時間が所定時間以上の場合は前記表示手段を非表示状態のままとする制御手段を備えることを特徴とする請求項１に記載の撮像装置。
【請求項３】
前記表示手段は撮像装置の露出制御値の撮影に関わる設定値、制御値の情報を表示している第１の表示状態と、前記第１の表示状態で表示している情報と異なる情報を表示している第２の表示状態を有し、
前記第１の表示状態のとき、前記計時手段によって計時された前記第１のスイッチのオンの継続時間が所定時間以上の場合は前記表示手段を非表示状態とし、前記計時手段によって計時された前記第１のスイッチのオンの継続時間が所定時間より短い場合は前記表示手段を表示状態とし、
前記表示手段が第２の表示状態のとき、前記第１のスイッチのオンが検知されると前記表示手段を非表示状態とする制御手段を備えることを特徴とする請求項１又は、請求項２に記載の撮像装置。
【請求項４】
複数の撮影モードが設定可能な撮影モード設定手段を有し、
前記複数の撮影モードは、
使用者がパラメータを変更可能な第1の撮影モード群と、
使用者がパラメータの変更が不可能あるいはパラメータの変更を制限された第２の撮影モード群とを含み
前記撮影モード設定手段によって前記第1の撮影モード群に属する撮影モードが設定されている場合と、前記撮影モード設定手段によって前記第２の撮影モード群に属する撮影モードが設定されている場合とで、
前記表示手段の表示／非表示の制御を変更する制御手段を備えることを特徴とする請求項１〜請求項３のいずれかに記載の撮像装置。
【請求項５】
前記表示手段が非表示状態で、前記撮影モード設定手段によって前記第1の撮影モード群に属する撮影モードが設定されている場合、
前記計時手段によって計時された前記第１のスイッチのオンの継続時間が所定時間より短い場合は前記表示手段を表示状態とし、前記計時手段によって計時された前記第１のスイッチのオンの継続時間が所定時間以上の場合は前記表示手段を非表示状態のままとし、
前記表示手段が非表示状態で、前記撮影モード設定手段によって前記第２の撮影モード群に属する撮影モードが設定されている場合、
前記計時手段によって計時された前記第１のスイッチのオンの継続時間に関わらず前記表示手段を非表示状態のままとする制御手段を備えることを特徴とする請求項４に記載の撮像装置。
【発明の詳細な説明】
【技術分野】
【０００１】
本発明は、表示装置を有する電子カメラなど撮像装置と、撮像装置の表示制御に関するものである。
【背景技術】
【０００２】
デジタルカメラに搭載されているバックライトを備えたＴＦＴ液晶表示装置や、自発光式の有機ＥＬ表示素子等の表示装置は、その表示に要する消費電力が大きく、また、ファインダを観察する際にはその表示装置からの漏光が目に入り邪魔になるため、表示が必要なときのみ表示し、表示が不必要なときや邪魔になるときは非表示に切り替える必要がある。
【０００３】
そして、一般的には、ユーザによるスイッチ操作により表示装置の表示／非表示を切り替えるため、不必要な時にスイッチがＯＮのままにされる場合があり、この場合には余分な電力を消費することになる。また、ファインダを観察する際にスイッチがＯＮのままだと表示装置からの漏光が目に入り邪魔になる。
【０００４】
このような問題に対して、接眼検知センサを設けてファインダへの接眼を検知して、カメラ背面のＴＦＴ液晶表示装置の表示／非表示を制御するカメラが提案されている。
【０００５】
例えば特許文献１では、以下のようなカメラが提案されている。
【０００６】
全体制御部が被写体の撮影や記憶画像の再生の準備がなされている操作準備状態を検出する。そして、全体制御部は、接眼検知センサによりファインダへのユーザーの瞳の近接が検知されないと背面ＬＣＤに画像表示を行うように制御する。また、全体制御部は、操作準備状態が検出されない際には、背面ＬＣＤに画像表示しないように制御する。
【０００７】
上記構成により、ユーザーの意図に沿った画像表示を行いつつ、画像表示に起因する消費電力を低減を図るととともに、使い勝手の向上を図っている。
【特許文献１】特開２００４−２０１１０４号公報
【発明の開示】
【発明が解決しようとする課題】
【０００８】
しかしながら、特許文献１において提案されている電子カメラの構成では、接眼検知センサ等の専用のセンサーが必要となり、カメラの大型化、コストアップを招く。
【０００９】
また、カメラ背面のＴＦＴ液晶表示装置に表示されている表示を見ようと顔を近づけたり、ＴＦＴ液晶表示装置に表示されているメニューを操作しようと操作部材に手をのばした際に、接眼検知センサが誤検知してＴＦＴ液晶表示装置の表示を非表示としてしまう等、ユーザの意図しない動作を招き使用感を損ねる恐れがある。
【課題を解決するための手段】
【００１０】
上記の課題を解決するために、請求項１の発明は、表示手段と、第１ストロークでオンする第１のスイッチと、第２ストロークでオンする第２のスイッチからなる２段スイッチを有し、前記第１のスイッチのオンで撮影準備動作を行い、前記第２のスイッチのオンで撮影動作を行う撮像装置であって、前記第１のスイッチのオンの継続時間を計時する計時手段と、前記計時手段によって計時された前記第１のスイッチのオンの継続時間によって前記表示手段の表示／非表示の制御を変更する制御手段を備える。
【００１１】
また、請求項２の発明は、請求項１に記載の撮像装置であって、前記表示手段が非表示状態のとき、前記計時手段によって計時された前記第１のスイッチのオンの継続時間が所定時間より短い場合は前記表示手段を表示状態とし、前記計時手段によって計時された前記第１のスイッチのオンの継続時間が所定時間以上の場合は前記表示手段を非表示状態のままとする制御手段を備える。
【００１２】
また、請求項３の発明は、請求項１乃至請求項２に記載の撮像装置であって、前記表示手段は撮像装置の露出制御値等の撮影に関わる設定値、制御値の情報を表示している第１の表示状態と、前記第１の表示状態で表示している情報と異なる情報を表示している第２の表示状態を有し、前記第１の表示状態のとき、前記計時手段によって計時された前記第１のスイッチのオンの継続時間が所定時間以上の場合は前記表示手段を非表示状態とし、前記計時手段によって計時された前記第１のスイッチのオンの継続時間が所定時間より短い場合は前記表示手段を表示状態とし、前記表示手段が第２の表示状態のとき、前記第１のスイッチのオンが検知されると前記表示手段を非表示状態とする制御手段を備える。
【００１３】
また、請求項４の発明は、請求項１乃至請求項３に記載の撮像装置であって、複数の撮影モードが設定可能な撮影モード設定手段を有し、前記複数の撮影モードは、使用者がパラメータを変更可能な第1の撮影モード群と、使用者がパラメータの変更が不可能あるいはパラメータの変更を制限された第２の撮影モード群とを含み前記撮影モード設定手段によって前記第1の撮影モード群に属する撮影モードが設定されている場合と、前記撮影モード設定手段によって前記第２の撮影モード群に属する撮影モードが設定されている場合とで、前記表示手段の表示／非表示の制御を変更する制御手段を備える。
【００１４】
また、請求項５の発明は、請求項４に記載の撮像装置であって、前記表示手段が非表示状態で、前記撮影モード設定手段によって前記第1の撮影モード群に属する撮影モードが設定されている場合、前記計時手段によって計時された前記第１のスイッチのオンの継続時間が所定時間より短い場合は前記表示手段を表示状態とし、前記計時手段によって計時された前記第１のスイッチのオンの継続時間が所定時間以上の場合は前記表示手段を非表示状態のままとし、前記表示手段が非表示状態で、前記撮影モード設定手段によって前記第２の撮影モード群に属する撮影モードが設定されている場合、前記計時手段によって計時された前記第１のスイッチのオンの継続時間に関わらず前記表示手段を非表示状態のままとする制御手段を備える。
【発明の効果】
【００１５】
請求項１の発明によれば、表示手段と、第１ストロークでオンする第１のスイッチと、第２ストロークでオンする第２のスイッチからなる２段スイッチを有し、前記第１のスイッチのオンで撮影準備動作を行い、前記第２のスイッチのオンで撮影動作を行う撮像装置であって、前記第１のスイッチのオンの継続時間を計時する計時手段と、前記計時手段によって計時された前記第１のスイッチのオンの継続時間によって前記表示手段の表示／非表示の制御を変更する制御手段を備えることにより、接眼検知センサ等の専用のセンサーや専用の操作部材を設けることなく、レリーズボタン114の操作のみでＴＦＴ液晶表示装置116の表示、非表示の制御が可能となる効果がある。
【００１６】
また、請求項２の発明によれば、請求項１に記載の撮像装置であって、前記表示手段が非表示状態のとき、前記計時手段によって計時された前記第１のスイッチのオンの継続時間が所定時間より短い場合は前記表示手段を表示状態とし、前記計時手段によって計時された前記第１のスイッチのオンの継続時間が所定時間以上の場合は前記表示手段を非表示状態のままとする制御手段を備えることにより、レリーズボタン114を一瞬半押しして離すとＴＦＴ液晶表示装置116に撮影情報が表示され、レリーズボタン114を半押しし続けると、ＴＦＴ液晶表示装置116は非表示とすることとなり、撮影者が特別な操作を意識することなく、通常の撮影で行うレリーズボタン114の操作で、必要なときに表示され、不要または邪魔になるときには非表示となるＴＦＴ液晶表示装置116の表示制御が可能となる効果がある。
【００１７】
また、請求項３の発明によれば、ＴＦＴ液晶表示装置116の表示状態に応じて、レリーズボタン114の操作で、それぞれの表示状態に即して必要なときに表示され、不要または邪魔になるときには非表示となるＴＦＴ液晶表示装置116の表示／非表示の制御が可能となる効果がある。
【００１８】
また、請求項４乃至請求項５の発明によれば、設定された撮影モードに応じて、レリーズボタン114の操作で、撮影モードの仕様に即して、必要なときに表示され、不要または邪魔になるときには非表示となるＴＦＴ液晶表示装置116の表示／非表示の制御が可能となる効果がある。
【発明を実施するための最良の形態】
【００１９】
以下、本発明の実施の形態を一眼レフタイプデジタルカメラの実施例により詳しく説明する。
【００２０】
図1、図2は、本発明の実施例である“一眼レフタイプデジタルカメラ”を示している。
【００２１】
図1は、本発明の実施例による一眼レフタイプのデジタルカメラの構成を示す上面図、図2は同デジタルカメラの構成を示す背面図である。
【００２２】
図1、図2において、100はカメラ本体、111はファインダー観察用の接眼窓である。112はＡＥ（自動露出）ロックボタン、112は露出補正を行うための露出補正ボタン、113はＡＦ（オートフォーカス）の測距点選択ボタンである。
【００２３】
114は撮影操作をするためのレリーズボタンであり、第１ストロークでＳＷ１（後述）がＯＮし、第２ストロークでＳＷ２（後述）がＯＮする構成となっている。115はメイン電子ダイヤルで、1クリック回転操作することにより、位相のずれた２ビットの信号をマイクロコンピュータ1に送ることにより、回転方向と回転クリック数が検出される。
【００２４】
この回転方向と回転クリック数を検出することで、他の操作釦と併用して、カメラに数値を入力したり、設定項目の選択をしたりすることが可能となる。
【００２５】
尚、この情報設定方法は、特開昭５８−６３９２２号や特開昭６０−１０３３３１号において公知であるので、詳しい説明は省略する。
【００２６】
117は本デジタルカメラの全ての動作を禁止するメインスイッチである。
【００２７】
121は撮影モードを設定するモードダイヤルである。このモードダイヤル121を回転させることにより、ＴＶ優先、ＡＶ優先、マニアル、プログラムなどの撮影者の意図する撮影モードに設定することができる。
【００２８】
このモードダイヤル121によって選択できるモードには、全自動モード、スポーツモード、風景モード、夜景モード、クローズアップモード、ポートレートモードという撮影シーンにより選択する撮影モード（以下「基本撮影モード」と記す）と、プログラム、ＴＶ優先、ＡＶ優先、マニュアルというＴＶ値とＡＶ値の制御の方法を選択するモード（以下「応用撮影モード」と記す）がある。
【００２９】
「基本撮影モード」では、モード毎のアルゴリズムにより測光データ、測距データ等に基づきＡＶ値、ＴＶ値、ＩＳＯ感度、ストロボ調光制御、ＡＦ駆動制御、ホワイトバランス等の制御が自動決定され、ユーザは露出補正、調光補正等の露出制御の補正、ホワイトバランス等の画像処理パラメータの操作は一切できない。
【００３０】
「応用撮影モード」では、ユーザはホワイトバランス等の画像処理パラメータの設定や、露出補正、調光補正等の補正操作を行うことが可能である。
【００３１】
モードダイヤル121によりＴＶ優先がモードとして設定されている場合には、メイン電子ダイヤル115を回転させることにより撮影者の希望するＴＶ値を設定することができる。
【００３２】
また、モードダイヤル121によりＡＶ優先がモードとして設定されている場合には、メイン電子ダイヤル115を回転させることにより撮影者の希望とするＡＶ値を設定することができる。
【００３３】
116はＴＦＴ液晶表示装置である。ＴＦＴ液晶表示装置116の裏面には不図示のバックライト照明装置が配置されている。
【００３４】
118はＴＦＴ液晶表示装置116にメニューを表示させるメニューボタンである。カメラの電源が入っている状態でメニューボタン118を押すとＴＦＴ液晶表示装置116にメニューが表示される。メニューの設定項目と設定値の選択は後述の４方向ＳＷ122、ＳＥＴボタン123によって行う。
【００３５】
図5は、本発明のデジタル一眼レフカメラのメニュー表示状態のＴＦＴ液晶表示装置の表示を示す図であり、メニューボタン118を押した際に表示されるＴＦＴ液晶表示装置116の表示の一例を示している。
【００３６】
図5に示すとおり、カメラの電源が入っている状態でメニューボタン118を押すとＴＦＴ液晶表示装置116に記録画質や、日付／時刻、再生画像の表示形態などのさまざまな設定を行うメニュー画面が表示される。
【００３７】
120はＴＦＴ液晶表示装置116に記録媒体20（後述）に記録された撮影画像を表示するための再生ボタンである。
【００３８】
図6は、本発明のデジタル一眼レフカメラの撮影画像表示状態のＴＦＴ液晶表示装置の表示を示す図であり、再生ボタン120を押した際に表示されるＴＦＴ液晶表示装置116の表示の一例を示している。
【００３９】
図6に示すとおり、カメラの電源が入っている状態で再生ボタン120を押すとＴＦＴ液晶表示装置116に記録媒体20に記録された撮影画像が表示される。表示する画像の選択は後述の４方向ＳＷ122によって行う。
【００４０】
119はＴＦＴ液晶表示装置116に撮影情報を表示させるＩＮＦＯ．ボタンである。
【００４１】
図4は、本発明のデジタル一眼レフカメラの撮影情報表示状態のＴＦＴ液晶表示装置の表示を示す図であり、ＩＮＦＯ．ボタン119を押した際に表示されるＴＦＴ液晶表示装置116の表示の一例を示している。
【００４２】
図4に示すとおり、カメラの電源が入っている状態でＩＮＦＯ．ボタン119を押すとＴＦＴ液晶表示装置116にＡＶ値、ＴＶ値、ＩＳＯ感度、露出補正量、調光補正量などの撮影情報が表示される。
【００４３】
また、撮影モードが「応用撮影モード」のいずれかのモードに設定されているときは、この撮影情報はＳＷ１114eの操作によっても表示することが可能である。このＳＷ１114eで表示する操作については後に説明する。
【００４４】
122はメニューの設定操作、表示画像の選択、スクロールなどを行う４方向ＳＷである。
【００４５】
123はメニュで選択した項目の確定操作を行うＳＥＴボタンである。
【００４６】
メニューボタン118により、ＴＦＴ液晶表示装置116にメニューが表示されている状態で、４方向ＳＷを操作することにより設定を変更したい設定項目を選択する。希望の設定項目が選択された時、ＳＥＴボタン123を押すと設定項目選択が完了する。設定項目を選択すると、その項目の設定値の選択肢がリスト表示されたり、設定値の数値のバーが表示される。この状態で４方向ＳＷを操作して希望の選択肢や値を選択する。希望の選択肢や値が選択された時、ＳＥＴボタン123を押すと設定値の設定が完了する。
【００４７】
また、再生ボタン120により、ＴＦＴ液晶表示装置116に画像が表示されている状態で、４方向ＳＷを操作することにより表示したい画像を選択できる。
【００４８】
撮影レンズ200は、カメラ本体100に対して、不図示の本体マウントを介して交換可能である。
【００４９】
図3は、本発明のデジタル一眼レフカメラの電気回路を示すブロック図である。
【００５０】
図3において、1はカメラ本体に内蔵された制御手段であるところのマイクロコンピュータである。
【００５１】
マイクロコンピュータ1には、ミラー駆動回路11、焦点検出センサ12、シャッター駆動回路14、測光センサ15、映像信号処理回路10、 液晶表示駆動回路17、電源部22、およびレンズマウントの接点（不図示）を介して撮影レンズ200内のレンズマイコン204が接続されている。
【００５２】
マイクロコンピュータ1は上記回路を統括的に制御する。また、マイクロコンピュータ1はＳＷ１114e、ＳＷ２114f、メイン電子ダイヤル115、モードダイヤル121、その他ＳＷ類の入力を検知する機能を有している。
【００５３】
200はカメラ本体にレンズマウントを介して着脱可能な撮影レンズである。
【００５４】
204は撮影レンズ200内に備えられているレンズマイコンで、マイクロコンピュータ1との通信、レンズ内の各デバイスの統括制御を担っている。
【００５５】
201は撮影レンズ200内に備えられているレンズ駆動回路で、レンズマイコン204の制御によって撮影レンズ200内のフォーカスレンズ位置を変化させることによりＣＭＯＳ撮像装置7にピントを合わせる。203は撮影レンズ200内に備えられている絞り駆動回路で、レンズマイコン204の制御によって絞り202を変化させて光学的な絞り値を変化させる。
【００５６】
3はメインミラーで撮影レンズ200により結像される被写体像を、ペンタダハプリズム2へ導くと共に、その一部を透過させ、後述するサブミラー4を通して焦点検出センサ12へ導く。メインミラー3はミラー駆動回路11により、ファインダーにて被写体像を観察可能な位置と撮影時に被写体光束の光路から待避する退避位置とを可動自在に構成されている。
【００５７】
4はメインミラー3の一部を透過した被写体光を反射させて、焦点検出センサ12へ被写体像を導くためのサブミラーである。サブミラー4は、前記メインミラー3と連動し、前記メインミラー3がファインダーにて被写体像を観察可能な位置にあるときには、焦点検出センサ12へ被写体光を導く位置に、また、撮影時には被写体光束の光路から待避する退避位置に可動自在に構成されている。
【００５８】
11はミラー駆動回路で、例えばＤＣモータとギヤトレインなどから構成され、マイクロコンピュータ1の制御によってメインミラー3やサブミラー4を駆動させる。
【００５９】
2はペンタダハプリズムで、メインミラー3によって導かれた被写体像を正立正像に変換反射する光学部材である。
【００６０】
撮影レンズ200を通過した被写体光束は、絞り202を通過して、メインミラー3で反射され、ペンタダハプリズム2に導かれる。
【００６１】
撮影レンズ200を通過した被写体光束は、さらには測光センサ15へも導かれる。また、メインミラー3を透過した光束はサブミラー4で反射され、焦点検出センサ12の検出面上で再結像される。その光像は、電気的なイメージ信号に変換されて焦点検出センサ12内部の焦点検出回路13に供給される。
【００６２】
焦点検出回路13はマイクロコンピュータ1の指示に従い、焦点検出センサ12の蓄積制御と読み出し制御を行って、画素情報をマイクロコンピュータ1へ出力する。
【００６３】
マイクロコンピュータ1は焦点検出回路13からの被写体像のイメージ信号に基づいて、周知の位相差検出法による焦点検出演算を行い、撮影レンズ200による結像面とフィルム面等の予定結像面との差、すなわちデフォーカス量およびデフォーカス方向を求める。そして、マイクロコンピュータ1は算出したデフォーカス量およびデフォーカス方向に基づいて、レンズ駆動回路201を介して撮影レンズ200のフォーカスレンズ位置を変化させ合焦位置まで駆動する。
【００６４】
5は機械シャッター装置で、ファインダー観察時には被写体光束を遮り、撮像時にはレリーズ信号に応じて被写体光束の光路から待避して露光を開始させる不図示の先羽根群と、ファインダー観察時には被写体光束の光路から待避しているとともに、撮像時には先羽根群の走行開始後所定のタイミングで被写体光束を遮光する不図示の後羽根群とを有するフォーカルプレーンシャッターである。機械シャッター装置5はマイクロコンピュータ1の指令を受けたシャッター駆動回路14によって制御される。
【００６５】
7は撮影レンズ200により結像された被写体像を撮像して電気信号に変換するＣＭＯＳ撮像装置である。8はＣＤＳ／ＡＧＣ回路で、画像信号のノイズの低減などの基本的なアナログ処理、Ａ／Ｄ変換する前のアナログ信号のゲイン調整処理を行う。9はＡ／Ｄ変換回路であり、アナログの各画素信号をデジタル信号に変換する。
【００６６】
10は映像信号処理回路で、内部に画像データ処理部10a、画像表示処理部10b、メモリコントローラ10c、インターフェース処理部10d等を有し、ハードウエアによる画像処理全般を担当する。
【００６７】
画像データ処理部10aはデジタル化されたＣＭＯＳ撮像装置7の画像データに、レベル補正、ホワイトバランスの調整、ガンマー調整処理、その他フィルター処理、画像データに対するＪＰＥＧなどの圧縮処理等を行う。画像表示処理部10bは表示用の情報合成処理などを行う。
【００６８】
この映像信号処理回路10からの表示用の画像データは、ＴＦＴモニタ駆動回路18を介してＴＦＴ液晶表示装置116に表示される。
【００６９】
これらの機能は、マイクロコンピュータ1との通信により制御される。
【００７０】
画像データは、一旦、バッファメモリ19に格納され、メモリコントローラ10cを介して映像信号処理回路10で順次処理される構成となっている。
【００７１】
メモリコントローラ10cでは、映像信号処理回路10から入力された未処理のデジタル画像データをバッファメモリ19に格納し、処理済みのデジタル画像を記録媒体20に格納したり、逆にバッファメモリ19や記録媒体20から画像データを映像信号処理回路10に出力したりする。
【００７２】
また、メモリコントローラ10cは、インターフェース処理部10dから送られてくる映像を記録媒体20に記憶することや、記録媒体20に記憶されている画像をインターフェース処理部10dから出力可能である。なお、記録媒体20は、カメラ本体に対して取り外しが可能である。
【００７３】
114eはレリーズボタン114の第１ストロークによりオンするスイッチＳＷ１である。114fは、レリーズボタン114の第２ストロークによりオンするスイッチＳＷ２である。スイッチＳＷ２がオンされるとレリーズ動作が開始される。
【００７４】
測光センサ15は測光回路16を内蔵しており、測光センサ15からの出力を画面内の各エリアの輝度信号として、マイクロコンピュータ1に出力する。マイクロコンピュータ1は輝度信号を演算処理し、撮影の露出を算出する。
【００７５】
17は液晶表示駆動回路で、マイクロコンピュータ1の表示内容命令に従って、ファインダー内液晶表示装置21を駆動する。
【００７６】
22は電源部で、マイクロコンピュータ1の指示により、各ＩＣ（集積回路）や駆動系に必要な電源を供給する。
【００７７】
図7、図8は本発明のデジタル一眼レフカメラのＳＷ１操作後の動作を示すフローチャートである。
【００７８】
以下、図7、図8に沿って本実施例のカメラの動作について説明する。
【００７９】
メインスイッチ117カメラの電源が入っている状態で、ＳＷ１114e が押されると本フローチャートの処理が始まり、S1の処理へと進む。
【００８０】
S1では、ＴＦＴ液晶表示装置116が点灯中かどうかを判別する。ＴＦＴ液晶表示装置116が点灯中であればS2の処理へ進み、点灯中でなければ図8のS21の処理へ進む。
【００８１】
S2では、ＴＦＴ液晶表示装置116の表示内容を判別する。ＴＦＴ液晶表示装置116に撮影情報が表示されている状態であれば、S4の処理へ進み、メニューまたは撮影画像が表示されている状態であればS3の処理へ進む。
【００８２】
S3では、ＴＦＴ液晶表示装置116の表示を消灯し、S5の処理へ進む。
【００８３】
S4では、タイマtsw1をリセットし、計時を開始し、S5の処理へ進む。
【００８４】
S5では、測光、測距などの撮影準備動作処理を開始し、S6の処理へ進む。
【００８５】
S6では、ＳＷ１114eがONしているか否か判別する。ＳＷ１114eがONしていると判別されればS7の処理へ、ONしていると判別されなければS14の処理へ進む。
【００８６】
S7では、ＴＦＴ液晶表示装置116が点灯中かどうかを判別する。ＴＦＴ液晶表示装置116が点灯中であればS8の処理へ進み、点灯中でなければS10の処理へ進む。
【００８７】
S8では、タイマtsw1の値を確認し、所定時間t1以上か否か判別する。ここで、t1はあらかじめ定められた所定の値で、本実施例では0.2秒に設定されている。tsw1の値がt1以上であれば、S9の処理へ進み、tsw1の値がt1未満であればS10の処理へ進む。
【００８８】
S9では、ＴＦＴ液晶表示装置116の表示を消灯し、S10の処理へ進む。
【００８９】
S10では、ＳＷ２114fがONしているか否か判別する。ＳＷ２114fがONしていると判別されればS11の処理へ進み、ONしていると判別されなければS6の処理へ戻る。
【００９０】
S11では、ＴＦＴ液晶表示装置116が点灯中かどうかを判別する。ＴＦＴ液晶表示装置116が点灯中であればS12の処理へ進み、点灯中でなければS13の処理へ進む。
【００９１】
S12では、ＴＦＴ液晶表示装置116の表示を消灯し、S13の処理へ進む。
【００９２】
S13では、一連の露光処理を実行し、本フローチャートの処理を終了する。
【００９３】
S14では、測光、測距等の露光準備処理を中止し、本フローチャートの処理を終了する。
【００９４】
S21では、タイマtsw1をリセットし、計時を開始し、S22の処理へ進む。
【００９５】
S22では、測光、測距などの撮影準備動作処理を開始し、S23の処理へ進む。
【００９６】
S23では、ＳＷ１114eがONしているか否か判別する。ＳＷ１114eがONしていると判別されればS24の処理へ、ONしていると判別されなければS26の処理へ進む。
【００９７】
S26では、測光、測距等の露光準備処理を中止し、S27の処理へ進む。
【００９８】
S27では、撮影モードを確認し、「応用撮影モード」であればS28の処理へ進み、「応用撮影モード」でなければ本フローチャートの処理を終了する。
【００９９】
S28では、タイマtsw1の値を確認し、所定時間t1未満か否か判別する。tsw1の値がt1未満であればS29の処理へ進み、tsw1の値がt1以上であれば本フローチャートの処理を終了する。
【０１００】
S29では、ＴＦＴ液晶表示装置116に撮影情報を表示し、本フローチャートの処理を終了する。
【０１０１】
以上説明した処理によれば、例えばカメラのメインスイッチ117がON、モードダイヤル121が「応用撮影モード」に設定され、ＴＦＴ液晶表示装置116が点灯していない状態で、レリーズボタン114を一瞬半押しして離すとＴＦＴ液晶表示装置116にレリーズボタン114を半押しした時点の測光値に基づくＡＶ値、ＴＶ値、露出補正量、調光補正量などの撮影情報が表示され、撮影者は撮影情報や設定値を確認することができる。
【０１０２】
また、例えばカメラのメインスイッチ117がON、モードダイヤル121が「基本撮影モード」に設定され、ＴＦＴ液晶表示装置116が点灯していない状態では、レリーズボタン114の操作でＴＦＴ液晶表示装置116は点灯することは無いので、撮影者はさまざまな撮影情報や設定値を意識することなく、撮影に集中できる。また、レリーズボタン114の操作で不意にＴＦＴ液晶表示装置116が点灯して撮影者が戸惑うことが無い。
【０１０３】
また、カメラのメインスイッチ117がON、ＴＦＴ液晶表示装置116が点灯していない状態で、レリーズボタン114を半押しし続けると、測光、測距などの撮影準備動作を行う。このときＴＦＴ液晶表示装置116は点灯しないので、撮影者がファインダをのぞいている状態でもＴＦＴ液晶表示装置116のバックライトが眩しくて邪魔になることはない。
【０１０４】
また、カメラのメインスイッチ117がONで、ＴＦＴ液晶表示装置116に撮影情報が表示されている状態で、レリーズボタン114を一瞬半押しして離すとＴＦＴ液晶表示装置116にレリーズボタン114を半押しした時点の測光値に基づくＡＶ値、ＴＶ値、露出補正量、調光補正量などの撮影情報が表示され、撮影者は最新の撮影情報や設定値を確認することができる。
【０１０５】
また、カメラのメインスイッチ117がONで、ＴＦＴ液晶表示装置116に撮影情報が表示されている状態で、レリーズボタン114を半押しし続けると、測光、測距などの撮影準備動作を行うとともに、ＴＦＴ液晶表示装置116を消灯する。そのため、撮影者がファインダをのぞいている状態でもＴＦＴ液晶表示装置116のバックライトが眩しくて邪魔になることはない。
【０１０６】
また、カメラのメインスイッチ117がONで、ＴＦＴ液晶表示装置116に例えばメニュー表示などの撮影情報以外の情報が表示されている状態で、レリーズボタン114を半押しすると、測光、測距などの撮影準備動作を行うとともに、即座にＴＦＴ液晶表示装置116を消灯する。そのため、撮影者はメニュー操作等が中断され、カメラが撮影準備動作を開始したことを容易に認識でき、撮影者がファインダをのぞいている状態でもＴＦＴ液晶表示装置116のバックライトが眩しくて邪魔になることはない。
【０１０７】
本実施例においては表示装置としてＴＦＴ液晶表示装置を用いた例を示したが、他の方式の表示装置、例えば有機EL表示装置等を適用することもできる。
【図面の簡単な説明】
【０１０８】
【図１】本発明のデジタル一眼レフカメラの上面図
【図２】本発明のデジタル一眼レフカメラの背面図
【図３】本発明のデジタル一眼レフカメラの電気回路を示すブロック図
【図４】本発明のデジタル一眼レフカメラの撮影情報表示状態のＴＦＴ液晶表示装置の表示を示す図
【図５】本発明のデジタル一眼レフカメラのメニュー表示状態のＴＦＴ液晶表示装置の表示を示す図
【図６】本発明のデジタル一眼レフカメラの撮影画像表示状態のＴＦＴ液晶表示装置の表示を示す図
【図７】本発明のデジタル一眼レフカメラのＳＷ１操作後の動作を示すフローチャート
【図８】本発明のデジタル一眼レフカメラのＳＷ１操作後の動作を示すフローチャート
【符号の説明】
【０１０９】
1  マイクロコンピュータ
2  ペンタダハプリズム
3  メインミラー
4  サブミラー
5  機械シャッター装置
6  レンズ接点
7  ＣＭＯＳ撮像装置
8  ＣＤＳ／ＡＧＣ回路
9  Ａ／Ｄ変換回路
10  映像信号処理回路
10a  画像データ処理部
10b  画像表示処理部
10c  メモリコントローラ
10d  インターフェース処理部
11  ミラー駆動回路
12  焦点検出センサ
13  焦点検出回路
14  シャッター駆動回路
15  測光センサ
16  測光回路
17  液晶表示駆動回路
18  ＴＦＴモニタ駆動回路
19  バッファメモリ
20  記録媒体
21  ファインダー内液晶表示装置
22  電源部
23  コネクタ端子
100  カメラ本体
111  接眼窓
112  ＡＥロックボタン
113  測距点選択ボタン
114  レリーズボタン
114e  ＳＷ１
114f  ＳＷ２
115  メイン電子ダイヤル
116  ＴＦＴ液晶表示装置
117  メインスイッチ
118  メニューボタン
119  ＩＮＦＯ．ボタン
120  再生ボタン
121  モードダイヤル
122  ４方向ＳＷ
123  ＳＥＴボタン
124  露出補正ボタン
200  撮影レンズ
201  レンズ駆動回路
202  絞り
203  絞り駆動回路
204  レンズマイコン
【図１】
2007202024.tif 000003
【図２】
2007202024.tif 000004
【図３】
2007202024.tif 000005
【図４】
2007202024.tif 000006
【図５】
2007202024.tif 000007
【図６】
2007202024.tif 000008
【図７】
2007202024.tif 000009
【図８】
2007202024.tif 000010